(57)【特許請求の範囲】
【請求項１】
一部を他のウエットティッシュ片の一部と重ねて折り畳まれたウエットティッシュ片を複数収容するウエットティッシュ収容体を収容する容器であり、
前記ウエットティッシュ収容体を囲むように配置される複数のカバー部材と、
前記複数のカバー部材で覆われた前記ウエットティッシュ収容体内の前記ウエットティッシュ片を取り出すための開口部と、を有するウエットティッシュ容器であって、
前記開口部が前記複数のカバー部材のいずれかのカバー部材に配置され、
前記開口部の近傍には、前記取り出されるウエットティッシュ片を温める高温部を備えた加熱手段が形成され、
前記加熱手段には、前記取り出されるウエットティッシュ片に対して前記高温部を接触又は離間させるための高温部移動手段が備えられていることを特徴とするウエットティッシュ容器。
【請求項２】
前記開口部が形成される前記カバー部材には、前記開口部に対応して設けられる開閉可能な蓋体が配置され、
前記蓋体の開閉に連動して前記高温部が前記ウエットティッシュ片との接触位置と離間位置との間を移動する構成となっていることを特徴とする請求項１に記載のウエットティッシュ容器。
【請求項３】
前記高温部が前記接触位置に配置されたときの前記高温部における接触位置温度と、
前記高温部が前記離間位置に配置されたときの前記高温部における離間位置温度と、が異なる温度となるような温度制御手段を有することを特徴とする請求項２に記載のウエットティッシュ容器。
【請求項４】
前記高温部が、相互に近接し前記ウエットティッシュ片を挟持する複数のウエットティッシュ当接部を備えており、
前記接触位置で、これらウエットティッシュ当接部相互が近接し、前記離間位置でこれらウエットティッシュ当接部が離間する構成となっていることを特徴とする請求項２又は請求項３のいずれかに記載のウエットティッシュ容器。
【請求項５】
前記複数のウエットティッシュ当接部を強制的に前記離間位置又は前記接触位置に移動させるためのウエットティッシュ当接部強制移動手段が設けられていることを特徴とする請求項４に記載のウエットティッシュ容器。
【請求項６】
前記複数のカバー部材が相互に分離されると、前記高温部の加熱を停止する加熱強制停止部が設けられていることを特徴とする請求項１乃至請求項５のいずれかに記載のウエットティッシュ容器。
【請求項７】
前記複数のウエットティッシュ当接部が、複数の円柱状の回転可能なローラにより成り、これら複数のローラが略平行に配置されており、前記ローラが、中心軸として設けられたヒータと、
熱伝導性のある回転部と、を備える構成となっていることを特徴とする請求項４乃至請求項６のいずれかに記載のウエットティッシュ容器。
【請求項８】
前記複数のローラが一定の間隔を設けて配置され、この間隔が前記ウエットティッシュ片の厚みと略同一に設定され、
前記ローラの前記回転部を前記ウエットティッシュ片の排出方向に回転させる回転駆動部が、前記ローラに接続されていることを特徴とする請求項７に記載のウエットティッシュ容器。
【発明の詳細な説明】
【０００１】
【発明の属する技術分野】
本発明は、ウエットティッシュを温める機能を有するウエットティッシュ容器に関するものである。
【０００２】
【従来の技術】
従来よりウエットティッシュを多数、折り畳んで収容しているウエットティッシュ容器が知られている。このウエットティッシュは、通常、薬液等が染み込ませてあるため、使用に際し、人の肌に触れると冷感を生じされることになる。
特に、乳幼児等に、このようなウエットティッシュを使用すると、この冷感から乳幼児等が驚き泣き出してしまう等の問題が生じていた。
このため、ウエットティッシュ容器に加熱器等を配置し、容器内のウエットティッシュを温めるウエットティッシュ・ウォーマーが使用されている。
【０００３】
【発明が解決しようとする課題】
しかし、このようなウエットティッシュ・ウォーマーは、加熱器等により容器内全体のウエットティッシュを温める構成のため、時間の経過によりウエットティッシュに染み込んでいる薬液等の水分も蒸発させる結果となった。
そして、使用者がウエットティッシュを使用するため容器から取り出したときは、既にウエットティッシュは乾いた状態となるという問題があった。
また、このようにウエットティッシュに加熱器等により熱を加えるとウエットティッシュが乾燥するだけでなく、黄変等の変質が生じ、更に菌が増殖し易い環境となってしまうという問題も生じた。
【０００４】
本発明は、以上の点に鑑み、ウエットティッシュを乾燥させず、菌等も増殖させ難く、衛生上も好ましいウエットティッシュ容器を提供することを目的とする。
【０００５】
【課題を解決するための手段】
前記目的は、請求項１の発明によれば、一部を他のウエットティッシュ片の一部と重ねて折り畳まれたウエットティッシュ片を複数収容するウエットティッシュ収容体を収容する容器であって、前記ウエットティッシュ収容体を囲むように配置される複数のカバー部材と、前記複数のカバー部材で覆われた前記ウエットティッシュ収容体内の前記ウエットティッシュ片を取り出すための開口部と、を有するウエットティッシュ容器であって、前記開口部が前記複数のカバー部材のいずれかのカバー部材に配置され、前記開口部の近傍には、前記取り出されるウエットティッシュ片を温める高温部を備えた加熱手段が形成され、前記加熱手段には、前記取り出されるウエットティッシュ片に対して前記高温部を接触又は離間させるための高温部移動手段が備えられていることを特徴とするウエットティッシュ容器により達成される。
【０００６】
請求項１の構成によれば、前記加熱手段は、前記開口部の近傍に高温部を設けているため、使用するウエットティッシュ片のみが加温される。
更に、前記加熱手段には、前記取り出されるウエットティッシュ片に対して前記高温部を接触又は離間させるための高温部移動手段が備えられている。
したがって、ウエットティッシュ片を温める必要がないときは、前記高温部を前記開口部から離間させることができ、ウエットティッシュ片への加温を低減することができる。
このため、ウエットティッシュ片の乾燥を防ぐことができ、黄変等を防ぎ、菌の増殖を防ぐことができるので衛生的なウエットティッシュ容器となる。
【０００７】
また、一部を他のウエットティッシュの一部と重ねて折り畳まれたウエットティッシュ片（いわゆるポップアップ方式）の場合は、一のウエットティッシュ片が前記開口部から取り出されると、他のウエットティッシュ片が引っ張られて、その一部が前記開口部に取り出し易いように配置される。
しかし、この時、重なりが外れ、前記開口部に他のウエットティッシュ片が配置されなかった場合や、最初のウエットティッシュ片を配置する場合に前記高温部を離間させることで安全に配置することができる。
したがって、請求項１に構成によれば、この前記開口部に取り出しやすいように配置されるウエットティッシュ片から前記高温部が離間させられるので、このウエットティッシュ片の乾燥を防ぎ、衛生的な状態に保持させて配置し易くすることができる。
【０００８】
好ましくは、請求項２に発明によれば、請求項１の構成において、前記開口部が形成される前記カバー部材には、前記開口部に対応して設けられる開閉可能な蓋体が配置され、前記蓋体の開閉に連動して前記高温部が前記ウエットティッシュ片との接触位置と離間位置との間を移動する構成となっていることを特徴とするウエットティッシュ容器である。
【０００９】
請求項２の構成によれば、前記蓋体の開閉に連動して前記高温部が前記ウエットティッシュ片との接触位置と離間位置との間を移動する構成となっている。
このため、前記蓋体を開けるとき、すなわち使用者がウエットティッシュ片を使用する際に、前記高温部が前記ウエットティッシュ片と接触する接触位置に移動し、ウエットティッシュ片を温める。
一方、前記蓋体を閉めるとき、すなわち使用者がウエットティッシュ片を使用しないときは、前記高温部が前記ウエットティッシュ片から離間した離間位置に移動し、前記ウエットティッシュ片を乾燥等させることがない。
したがって、使用者の使用に際し、使用するウエットティッシュ片のみを温めることができ、その他の使用しないウエットティッシュ片を加熱して乾燥等させないウエットティッシュ容器となる。
【００１０】
好ましくは、請求項３の発明によれば、請求項２の構成において、前記高温部が前記接触位置に配置されたときの前記高温部における接触位置温度と、前記高温部が前記離間位置に配置されたときの前記高温部における離間位置温度と、が異なる温度となるような温度制御手段を有することを特徴とするウエットティッシュ容器である。
【００１１】
請求項３の構成によれば、前記高温部が前記接触位置に配置されたときの前記高温部における接触位置温度と、前記高温部が前記離間位置に配置されたときの前記高温部における離間位置温度と、が異なる温度となるような温度制御手段を有する。
このため、前記離間位置に前記高温部が配置したときに、前記接触位置に比べ温度を下げることができる。したがって、より有効にウエットティッシュ片の乾燥等を防ぐことができ、より衛生的であると共に、使用しない、ほとんどの時間（待機時間）における温度を下げることで、電気消費量の少ないウエットティッシュ容器となる。
また、請求項３の構成によれば、前記温度制御手段により温度を下げ等しているため、前記離間位置に前記高温部が移動し、温度が下がっても温度を一定の範囲内に制御することができる。したがって、再び前記高温部が前記接触位置に移動され、再び温度を上昇させた場合も、温度が下がりすぎていないため、速やかに温度を適温まで上昇させることができる。
【００１２】
好ましくは、請求項４の発明によれば、請求項２又は請求項３の構成において、前記高温部が、相互に近接し前記ウエットティッシュ片を挟持する複数のウエットティッシュ当接部を備えており、前記接触位置で、これらウエットティッシュ当接部相互が近接し、前記離間位置でこれらウエットティッシュ当接部が離間する構成となっていることを特徴とするウエットティッシュ容器である。
【００１３】
請求項４の構成によれば、前記高温部が、相互に近接し前記ウエットティッシュ片を挟持する複数のウエットティッシュ当接部を備えており、前記接触位置で、これらウエットティッシュ当接部相互が近接し、前記離間位置でこれらウエットティッシュ当接部が離間する構成となっている。
このため、相互に近接する複数のウエットティッシュ当接部によりウエットティッシュ片を挟持し、効率良く使用するウエットティッシュ片を温めることになる
また、これら複数のウエットティッシュ当接部を相互に近接又は離間させることで、複数のウエットティッシュ当接部を容易に前記近接位置又は離間位置に移動させることができるので、簡単な構成とすることができ、製造コストを低減することができる。
【００１４】
好ましくは、請求項５の発明によれば、請求項４の構成において、前記複数のウエットティッシュ当接部を強制的に前記離間位置又は前記接触位置に移動させるためのウエットティッシュ当接部強制移動手段が設けられていることを特徴とするウエットティッシュ容器である。
【００１５】
請求項５の構成によれば、前記複数のウエットティッシュ当接部を強制的に前記離間位置又は前記接触位置に移動させるためのウエットティッシュ当接部強制移動手段が設けられている。
このため、たとえば前記蓋本体の開状態に対応して前記複数のウエットティッシュ当接部が前記接触位置に配置されている場合でも、前記蓋本体を閉状態にすることなく、前記ウエットティッシュ当接部強制移動手段を動作させることで容易に前記ウエットティッシュ当接部を前記離間位置に移動させることができる。
【００１６】
したがって、たとえば最初のウエットティッシュ片を配置する際や、前記ポップアップ方式のウエットティッシュ容器で取り出したウエットティッシュ片に続く次のウエットティッシュ片が誤って前記複数のウエットティッシュ当接部によって挟持されず、前記容器本体側に落下等した場合でも、このウエットティッシュ当接部強制移動手段により、前記複数のウエットティッシュ当接部を離間させ、その間に使用者が自己の手等を差し込んで落下等したウエットティッシュ片を引き上げる。そして、前記ウエットティッシュ当接部強制移動手段により前記複数のウエットティッシュ当接部を接触位置に移動させ、再び前記ウエットティッシュ当接部によって挟持させることが容易且つ安全にできる。
【００１７】
好ましくは、請求項６の発明によれば、請求項１乃至請求項５のいずれかに記載の構成において、前記複数のカバー部材が相互に分離されると、前記高温部の加熱を停止する加熱強制停止部が設けられていることを特徴とするウエットティッシュ容器である。
【００１８】
請求項６の構成によれば、前記複数のカバー部材が相互に分離されると、前記高温部の加熱を停止する加熱強制停止部が設けられている。このため、たとえば使用者が前記容器本体内のウエットティッシュ片を入れ替えるため、前記複数のカバー部材の一方を他方から取り外すため分離させた際に、誤って前記高温部を触ったとしても火傷等をすることなく安全にウエットティッシュ片の取替えを行うことができる。
【００１９】
好ましくは、請求項７の発明によれば、請求項４乃至請求項６のいずれかの構成において、前記複数のウエットティッシュ当接部が、複数の円柱状の回転可能なローラにより成り、これら複数のローラが略平行に配置されており、前記ローラが、中心軸として設けられたヒータと、熱伝導性のある回転部と、を備える構成となっていることを特徴とするウエットティッシュ容器である。
【００２０】
請求項７の構成によれば、前記複数のウエットティッシュ当接部が、複数の回転可能な円柱状のローラより成り、これら複数のローラが略平行に配置されている。このため、前記ウエットティッシュ片を前記複数のウエットティッシュ当接部が挟持して温める際に、ウエットティッシュ当接部とウエットティッシュ片との接触点が随時移動するため、ウエットティッシュ当接部の熱が部分的にウエットティッシュ片に奪われることがなく、効率的に温めることが出来る。
すなわち、前記複数のローラが回転しながら前記ウエットティッシュ片に当接するため、前記ローラの表面の略全体でウエットティッシュ片を効率よく温めることができる。
また、前記ウエットティッシュ片が、前記複数のローラにより挟持されるため、一のウエットティッシュ片を取り出すと、次のウエットティッシュ片も連続して排出してしまう、所謂「ズル」を未然に防ぐことができる。
また、前記中心軸に設けられたヒータによって前記回転部が温められる構成となっているので、前記ローラの回転によってヒータの配線を非回転部に配置することができ、前記ローラの構成を簡略化することができる。
【００２１】
好ましくは、請求項８の発明によれば、請求項７の構成において、前記複数のローラが一定の間隔を設けて配置され、この間隔が前記ウエットティッシュ片の厚みと略同一に設定され、前記ローラの前記回転部を前記ウエットティッシュ片の排出方向に回転させる回転駆動部が、前記ローラに接続されていることを特徴とするウエットティッシュ容器である。
【００２２】
請求項８の構成によれば、前記複数のローラが一定の間隔を設けて配置され、この間隔が前記ウエットティッシュ片の厚みと略同一に設定され、前記ローラの前記回転部を前記ウエットティッシュ片の排出方向に回転させる回転駆動部が、前記ローラに接続されている。
このため、使用者が前記回転駆動部を操作等して前記ローラを前記ウエットティッシュ片の排出方向に回転させると、前記ウエットティッシュ片は自動的に排出される。したがって、使用者が把持して取り出さなくても前記ローラの回転によってウエットティッシュ片は排出されることになる。
【００２３】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
（第１の実施の形態）
図１は、本発明の第１の実施の形態に係るウエットティッシュ・ウォーマー１００を示す概略斜視図である。
図１に示すようにウエットティッシュ・ウォーマー１００は、複数のカバー部材のうち一方のカバー部材である容器本体１５０と、他方のカバー部材である大蓋１１０を有している。また、これら容器本体１５０と大蓋１１０によってウエットティッシュ片２００を複数収容するウエットティッシュ収容体である詰め替え容器１５１が覆われるように、その内部に配置される。
【００２５】
このウエットティッシュ片２００は、略長方形の不織布等に所定の薬液等が含浸されて形成されている。そして、図２に示すように、その一部を他のウエットティッシュ片２００と重ねて折り畳む、所謂ポップアップ方式で多数、積層するように詰め替え容器１５１に収容されて配置されている。
図２は、詰め替え容器１５１内のウエットティッシュ片２００の積層状態を示す概略説明図である。
すなわち、最も上に配置されている第１のウエットティッシュ片２００を使用者が引き出すと、次に配置されている第２のウエットティッシュ片２００が重なっているため、続いて持ち上がり、その後、第１のウエットティッシュ片２００と第２のウエットティッシュ片２００の重なった部分が分離されて、第１のウエットティッシュ片２００のみが取り出されることになる。
そして、第２のウエットティッシュ片２００は、その一部が突出するように取り出し口に配置されるため、次の使用の際、取り出しやすくなっている。
このような構成で配置されるウエットティッシュ片２００を上述のポップアップ方式と呼ぶ。
【００２６】
具体的には、図３及び図４に示すようにウエットティッシュ片２００は、ポップアップ方式で積層配置される。図３及び図４は図１の概略縦断面図である。
すなわち、図３に示すように、ウエットティッシュ片２００は、別体の詰め替え容器１５１内にポップアップ方式で積層して配置された後、容器本体１５０内に収容される。
このようにすることで、ウエットティッシュ片２００をすべて使い終わった際のウエットティッシュ片２００の補充が容易に行われることになる。
【００２７】
ところで、大蓋１１０には、図３に示すように、容器本体１５０の開口を覆うための蓋部材１２０が備えられている。この蓋部材１２０には、ウエットティッシュ片２００が通過するための、開口部である蓋開口部１２１が形成されている。
なお、本実施の形態では、容器本体１５０内に詰め替え容器１５１が配置され、その上に蓋開口部１２１が形成されている大蓋１１０が配置されている。
しかし、本発明は、これに限らず、大蓋が図３の容器本体１５０の側面部を備えていて、この大蓋によって詰め替え容器１５１を覆うように形成されてもよい。そして、この大蓋の図３の底面に詰め替え容器１５１を挿入するための開口を設け、この開口を塞ぐように平板状の容器本体を配置してもよい。
【００２８】
ところで、図５は、図３の蓋開口部１２１の形状等を示す概略平面図である。図５に示すように、蓋開口部１２１は、蓋部材１２０に形成された開口であって、その開口の近傍には、図３の保持片１２２が例えば４カ所形成されている。
【００２９】
すなわち、この保持片１２２は、蓋開口部１２１を図３に示すようにウエットティッシュ片２００が通過する際、ウエットティッシュ片２００に係合することになる。
すると、この保持片１２２による係合が抵抗となって、上述の第２のウエットティッシュ片２００と第１のウエットティッシュ片２００とが分離され、第１のウエットティッシュ片２００のみが取り出され、第２のウエットティッシュ片２００は、この保持片１２２により保持される。
このため、第２のウエットティッシュ片２００が詰め替え容器１５１内に戻るのが有効に阻止されることになる。
更に、後述する加熱部１４０と容器本体１５０を分離するため容器本体１５０内が不必要に加熱されることも防止できる。
【００３０】
このように構成されている蓋開口部１２１の上方には図３に示すように開閉可能な蓋体である取り出し用蓋１１１が配置されている。
この取り出し用蓋１１１は、図３に示すように一側側を支点に揺動可能に形成されている。そして、この一側側には、トーションスプリング１１２が設けられ、取り出し蓋１１１を開方向に付勢するようになっている。
したがって、この取り出し用蓋１１１と蓋部材１２０とには、図４に示すように、それぞれ係合端１１３，１２３ａが設けられ、これら係合端１１３、１２３ａ同士が係合することで、取り出し用蓋１１１が閉状態となり、後述する蓋開閉ボタン１２５と連動した係合を解除するための押圧手段１２３により上方に押し上げられ、係合が解除されることで、付勢力により取り出し用蓋１１１が、図１等に示すように、開状態となるようになっている。
【００３１】
ところで、図１に示すように、蓋開口部１２１の近傍には、加熱手段である加熱部１４０が配置されている。この加熱部１４０は、高温部でありウエットティッシュ当接部である２つの加熱片１４１、１４１を有している。
これら２つの加熱片１４１が近接すると、下部が広く上部につれて狭くなる山形を成している。すなわち、２つの加熱片１４１の間隔は蓋開口部１２１から離間するにしたがって狭くなるように形成されている。
また、それぞれの加熱片１４１は、図３や図４に示すように、全体が湾曲し曲面形状となっている。この曲面形状は、加熱片１４１が互いに向き合う面が凸になるように形成されている。
【００３２】
そして、加熱片１４１の凸部側に、ヒータ１４２がそれぞれ対向するように配置され、このヒータ１４１を外側には断熱部であるカバー１４３、１４３が、それぞれ配置されている。したがって、使用者がヒータ１４２に挟持されるウエットティッシュ片２００をつまんだときに、誤ってヒータ１４２に接触するのを未然に防ぐことができる。
このように形成されている２つの加熱片１４１、１４１は、相互に近接又は離間するための高温部移動手段である加熱片ガイド１２７（図４参照）及びモータ等により移動可能となっている。
すなわち、モータの駆動によって加熱片ガイド１２７上の加熱片１４１は、加熱片ガイド１２７に沿って相互に離間又は近接方向に移動するようになっている。
【００３３】
２つの加熱片１４１は、上述のように構成されるため、図４に示すように、前記ポップアップ方式で折り畳まれたウエットティッシュ片２００が引き出されると、折り畳まれた方向（図４では左方向）に向かってウエットティッシュ片２００が移動し、加熱片１４１のヒータ１４２にウエットティッシュ片１４１が押しつけられることになる。
その後、ウエットティッシュ片２００は、加熱片１４１の間隔が狭まる上方に導かれるため、２つのヒータ１４２により挟持され、より密着しながらさらに上方に移動しされるので、ウエットティッシュ片２００は、効率良く温められることになる。
【００３４】
図６は、モータ１６０等によって加熱片１４１を移動させる構成等を示したウエットティッシュ・ウォーマー１００のブロック図である。
図６に示すように、モータは、コンピュータ等から成る制御部に接続され、この制御部の指示に従いモータが駆動するようになっている。
また、この制御部は、蓋スイッチ１２４に接続されている。この蓋スイッチ１２４は、図３に示すように大蓋１１０に配置されている。
そして、図３に示すように、蓋スイッチ１２４の上部には蓋開閉ボタン１２５が配置されている。この蓋開閉ボタン１２５を使用者が操作することで、押圧手段１２３が連動して取り出し用蓋１１１が押し上げられ、取り出し用蓋１１１と蓋部材１２０の係合端１１３、１２３ａの係合が解除され、トーションスプリング１１２の付勢力により、取り出し用蓋１１１が図１に示すように開状態となるようになっている。
【００３５】
また、この蓋開閉ボタン１２５を図３の下方向に押すと、取り出し用蓋１１１が開くと同時に蓋スイッチ１２４を押すことになる。この蓋スイッチ１２４は、押されることで、図６の制御部に信号を送る。
信号を受けた制御部は、取り出し用蓋１１１が開いたことを感知し、モータに加熱片１４１を移動すべく指示を与えることになる。
具体的には、取り出し用蓋１１１が開いた場合は、２つの加熱片１４１を近接させ、図４の位置、すなわちウエットティッシュ片２００との接触位置まで加熱片１４１を移動させる。
【００３６】
逆に、取り出し用蓋１１１が係合端１１３，１２３同士の係合により閉状態と成ったときは、制御部はモータに２つの加熱片１４１を離間させるべく指示を与え、２つの加熱片１４１は、図３の離間位置まで移動させられることになる。
【００３７】
また、図６に示すように、制御部は変圧器を介して図１のヒータ１４２にも接続されている。
このため、制御部はモータに２つの加熱片１４１を近接させる指示を与えた場合は、ヒータ１４２の温度を高温にするべく変圧器に指示を与える。逆に、制御部がモータに２つの加熱片１４１を離間させるべく指示を与えたときは、変圧器にヒータ１４２の温度を低温である一定の温度に下げるべく指示を与えることになる。
【００３８】
このときヒータ１４２にサーモスタットを接続させることにより、より正確に温度を一定に保持させることができる。
したがって、ヒータ１４２の温度が下がりすぎるのを未然に防ぐことができるので、ヒータ１４２の温度を上昇させるとき速やかにヒータ１４２の温度を所定温度まで上昇させることができる。
このとき、高温時は４０度乃至７０度Ｃ程度とし、低温時は、３５度Ｃ以下とすることにより、高温時の加熱によるウエットティッシュ片２００への影響の低減を図ることができる。
【００３９】
ところで、図６の制御部の指示により、２つの加熱片１４１が近接すると、図４に示すようにウエットティッシュ片２００を挟持することになる。
これは、上述のポップアップ方式によりウエットティッシュ片２００の一部が保持片１２２によって蓋開口部１２１から突出して配置されていることによる。
【００４０】
また、図１に示すように蓋部材１２０には、ウエットティッシュ当接部強制移動手段である離間ボタン１２６が配置されている。
この離間ボタン１２６が使用者によって押され、信号が図６に示す制御部に入力されると、制御部はモータに２つの加熱片１４１を離間させるべく指示を与える、２つの加熱片１４１は、図４の離間位置に強制的に移動させられるようになっている。
したがって、一枚目をセットする時や、ポップアップ方式で、ウエットティッシュ片２００の一部が図３や図４に示すように保持片１２２によって保持されず、容器本体１５１に落下等していることに、使用者が取り出し用蓋１１１を開いてから気づいた場合でも、離間ボタン１２６を押し、２つの加熱片１４１を離間させることで、手を蓋開口部１２１に差し込み、ウエットティッシュ片２００をつまみ上げることができる構成となっている。
【００４１】
更に、このとき、制御部は、同時にヒータ１４２の温度を下げる旨の指示をするため、使用者はウエットティッシュ片２００をより安全にセットできる。
【００４２】
ところで、使用者が図２の詰め替え容器１５１を取り替えるため、容器本体１５０と大蓋１１０とを分離させると、図６に示すセンサがこれを探知し、制御部に信号を送り、制御部は変圧器を介してヒータ１４２の加熱を停止させる加熱強制停止部が設けられている。
【００４３】
本実施の形態のウエットティッシュ・ウォーマー１００は、以上のように構成されているが、以下動作等について説明する。
図７は、本実施の形態にかかるウエットティッシュ・ウォーマー１００の動作等を示すフローチャートである。
まず、使用者は、図１に示すウエットティッシュ・ウォーマー１００のプラグ１０１をコンセントに差し込み、図示しないスイッチをＯＮ状態にする（ＳＴ１）。この状態では、図１の取り出し用蓋１２５は、図３に示すように閉状態となっている。
【００４４】
その後、使用者が図１の蓋開閉ボタン１２５を操作しなければ、ウエットティッシュ・ウォーマー１００は、使用者が暫くはウエットティッシュ片２００を使用しないと判断して（ＳＴ２）、図６の制御部が２つの加熱片１４１のヒータ１４２の温度を低くするように変圧器に指示する。
また、制御部は同時に２つの加熱片１４１を図３に示す離間位置に配置させる。
したがって、使用者が電源を入れた状態で放置しても、中のウエットティッシュ片２００を必要以上に加熱して乾燥させ、ウエットティッシュ片２００を黄変させ、菌の増殖等により不衛生になることがない。
また、加熱片１４１の温度を下げて待機しているので電気消費量を低減することができる。
【００４５】
次に、使用者がウエットティッシュ片２００を使用するため、図１の開閉ボタン１２５を押し、取り出し用蓋１１１の係合端１１３と蓋部材１２０の係合端１２３ａとの係合を解除し、トーションスプリング１１２の付勢力により取り出し用蓋１１１を図１に示すように開状態とする。
このとき、蓋開閉ボタン１２５を押すと、同時に図３に示す蓋スイッチ１２４も押され、図６に示す制御部に取り出し用蓋１１１が開いたことを感知し（ＳＴ２）する。
そして、制御部は、変圧器にヒータ１４２の温度を上げるように指示し、さらに、離間ボタンが押されていない場合（ＳＴ４）は、２つの加熱片１４１を近接させウエットティッシュ片２００に接触する図４に示す接触位置に加熱片１４１を移動させる（ＳＴ５）。
【００４６】
このとき、ウエットティッシュ片２００は、ポップアップ方式のため、その一部が図４に示すように、蓋開口部１２１から突出し、保持片１２２で保持されている。
したがって、この突出しているウエットティッシュ片２００の一部に対して２つの加熱片１４１が接触し、これら加熱片１４１によってウエットティッシュ２００が挟持される。
そして、この状態では、加熱片１４１のヒータ１４２が図４に示すようにウエットティッシュ片２００に接触するので、ウエットティッシュ片２００を効率的に温めることができる。
【００４７】
また、この加熱片１４１は、ウエットティッシュ片２００側に凸状の曲面形状となっているので、より効率的にヒータ１４２がウエットティッシュ片２００に接触し温めることができる。
この状態で、使用者が図４のウエットティッシュ片２００の上端部をつまんで引き上げるとウエットティッシュ片２００は、温められながら取り出され、適温に温められたウエットティッシュ片２００となる。
また、このとき、使用者がウエットティッシュ片２００をつまむ際、誤って加熱片１４１の外側に触れても、図４に示すように外側にはカバー１４３が配置されているので、使用者が直接、ヒータ１４２を触れることがないので安全性の高い構成となっている。
【００４８】
その後、取り出し用蓋１１１が開状態であれば、そのままの状態を維持（ＳＴ６）する。しかし、一定時間経過してもなお、取り出し用蓋１１１が開状態の場合（ＳＴ７）は、使用者が取り出し用蓋１１１の閉め忘れであると判断して、図６の制御部は、ヒータ１４２の温度を低くし、加熱片１４１，１４１を図３の離間位置に移動させる（ＳＴ３）。
したがって、使用者がウエットティッシュ片２００を取り出した後、取り出し用蓋１１１を閉め忘れても一定時間経過後、ヒータ１４２の温度が下がり、加熱片１４１が離間させられるので、ポップアップ方式でその一部が保持片１２２で保持されているウエットティッシュ片２００を加熱しすぎて、乾燥等させることを未然に防ぐことができる。
【００４９】
ところで、図７に示すように、使用者が電源を切ることによって（ＳＴ８）、ウエットティッシュ・ウォーマー１００の一連の動作は終了する。
なお、ウエットティッシュ片２００をすべて使い切り、図３の詰め替え容器１５１を取り替えるのは、通常、電源を切った後に行われる。
しかし、万が一、使用者が電源が入った状態で、詰め替え容器１５１を取り出すため、容器本体１５０から大蓋１１０を分離して取り外した場合は、この分離をセンサが感知し、図６に示すように制御部からの指示で、ヒータ１４２の加熱が停止させられる。したがって、使用者にとって安全な構成となっている。
【００５０】
また、使用者がウエットティッシュ片２００を取り出す際、次のウエットティッシュ片２００が保持片１２１で保持されず、容器本体１５０側に落下等してしまった場合は、図１に示す離間ボタン１２６を使用者が押すと、図６に示すように制御部に信号が入力され、制御部からモータへ、加熱片１４１を離間位置へ移動するように指示が与えられる。
また、同時に制御部から変圧器を介してヒータ１４２に温度を下げるよう指示が入るようになっているので、使用者は安全に且つ容易に落下したウエットティッシュ片２００を再び引き上げることができる。
【００５１】
このように本実施の形態のウエットティッシュ・ウォーマー１００は必要なウエットティッシュ片２００を適度に温めることができ、従来の加熱しすぎによる乾燥等をより有効に防ぐことができる。また、ヒータ１４２によるウエットティッシュ片２００の加熱が効率的に行われ、且つ安全性や経済性にも優れている。
【００５２】
（第２の実施の形態）
図８は、第２の実施の形態に係るウエットティッシュ・ウォーマー３００を示す概略斜視図である。
図８に示すウエットティッシュ・ウォーマー３００は、第１の実施の形態のウエットティッシュ・ウォーマー１００と共通する構成を有するので、共通する部分は、同一符号等として説明を省略し、相違点を中心に以下説明する。
【００５３】
図８に示す容器本体１５０は、第１の実施の形態と同様の構成であるが、蓋部である大蓋３１０の構成が、第１の実施の形態に係るウエットティッシュ・ウォーマー１００と異なる。
図９及び図１０は、図８のウエットティッシュ・ウォーマー３００の概略縦断面図である。
図９に示すように大蓋３１０の下部には、第１の実施の形態に係るウエットティッシュ・ウォーマー１００と同様に、蓋開口部１２１を備える蓋部材１２０が配置されている。
【００５４】
そして、その上方に加熱手段である加熱部３４０が配置され、この加熱部３４０は、複数のウエットティッシュ当接部である相互に略平行に配置されている複数のローラ３４１、３４１と、この複数のローラ３４１をウエットティッシュ片２００に対する接触位置又は離間位置に案内させるための移動ガイド３４２等を備えている。
【００５５】
図９は、ローラ３４１が接触位置に配置された状態を示す概略断面図であり、図１０は、離間スイッチ１２６が押された場合や、一定時間が経過した場合において、ローラ３４１が離間位置に配置された状態を示す概略断面図である。
したがって、複数のローラ３４１は、移動ガイド３４２に沿って図９の接触位置と図１０の離間位置の間を第１の実施の形態のモータ等で移動されることになる。なお、本実施の形態の接触位置と離間位置は、第１の実施の形態と同一の意味である。
【００５６】
ところで、ローラ３４１は、その中心に中心軸である略円柱状のヒータ３４１ａが配置され、その外側に僅かな隙間を介して熱伝導性のある回転部３４１ｂが配置されている。
したがって、ヒータ３４１ａは回転せず、その外側の回転部３４１ｂが回転する構成となっているため、ヒータ３４１ａの配線を回転部３４１ｂを避けて配置することが容易なため、ローラ３４１の構成を簡略化することができる。
【００５７】
また、回転部３４１ｂは、熱伝導性のある部材より成っているため、ヒータ３４１ａの熱が伝わり易い構成となっている。
したがって、図９に示すように回転部３４１ｂにウエットティッシュ片２００を接触させると、ヒータ３４１ａの熱が回転部３４１ｂを介してウエットティッシュ片２００に伝わる構成となっている。
このような２つのローラ３４１の上方には断熱性のカバー３４３が図８及び図９に示すように配置されている。したがって、ローラ３４１が離間位置に移動された場合は、ローラ３４１の外側にカバー３４３が配置される構成となっている。
したがって、使用者が誤ってローラ３４１に触れることを未然に防止することができる。
【００５８】
また、ローラ３４１の回転部３４１ｂは、図９に示すようにウエットティッシュ片２００を挟持して、図９の矢印の方向に回転しながらウエットティッシュ片２００を排出する構成となっている。
このため、回転部３４１ｂとウエットティッシュ片２００との接触点が随時移動するため、回転部３４１ｂの一部分における熱のみでウエットティッシュ片２００を温めるのではなく、接触点が移動しながら回転部３４１ｂの表面全体でウエットティッシュ片２００を温める構成となっている。
したがって、ウエットティッシュ片２００に熱を奪われても他の部分が接触するため、安定的に且つ効率良くウエットティッシュ片２００を温めることができる。
さらに、本実施の形態では、回転部３４１ｂによってウエットティッシュ片２００を温めるので、第１の実施の形態の加熱片１４１より、より効果的に温めることができる。
【００５９】
また、回転部３４１ｂが回転しながらウエットティッシュ片２００を温め、そして上方に排出するので、ウエットティッシュ片２００が回転部３４１ｂに広く接触される。
更に、図９に示すように、回転部３４１ｂの外周を滑り止め加工した滑り止め面３４１ｃとしている。
このため、ポップアップ方式で次に続くウエットティッシュ片２００が保持片１２２に保持されずに落下してしまうのを回転部３４１ｂによって防ぐことができる。
さらに、このように２つの回転部３４１ｂ、３４２ｂで挟持されているため、ポップアップ方式で次のウエットティッシュ片２００がつながって引き出されてしまう所謂「ズル」も防ぐことができる。
【００６０】
そして、このウエットティッシュ・ウォーマー３００には、第１の実施の形態の加熱片１４１の離間ボタン１２６と同様な離間ボタン１２６が図８に示されているように設けられている。
図１１は、本実施の形態に係るウエットティッシュ・ウォーマー３００のブロック図である
具体的には、図１１に示すブロック図のように、離間ボタン１２６により信号が制御部に送られ、制御部によって移動用モータ（第１の実施の形態のウエットティッシュ・ウォーマー１００の図６の「モータ」と同様である）を駆動させられ、２つのローラ３４１が移動ガイド３４２に沿って、接触位置から離間位置に移動させられることになる。
【００６１】
したがって、２つのローラ３４１が接触位置に配置され、使用者がウエットティッシュ片２００を引き出している際に、誤ってウエットティッシュ片２００を蓋開口部１２１側に落下等させた場合、この離間ボタン１２６を押して２つのローラ３４１を離間させることで、容易に落下等したウエットティッシュ片２００に向かって指等を差し入れて、取り出すことができる。
また、ウエットティッシュ片２００をセットした後に再度、離間ボタン１２６を押すことでローラ３４１は互いに近接する。
【００６２】
ところで、２つのローラ３４１を接触位置に移動させたときは、２つの回転部３４１ｂ間の間隔がウエットティッシュ片２００の厚みと略同一に設定されている。
また、図８に示すように回転駆動部を操作する回転制御ボタン３５０が設けられている。この回転駆動部は、図１１に示すように、制御部を介して回転用モータと接続されている。この回転用モータは、ローラ３４１の回転部３４１ｂを回転させるためのモータである。
このため、使用者が回転制御ボタン３５０を押すことで制御部により回転用モータが駆動し、回転部３４１ｂが図９の矢印方向に回転することになる。
したがって、使用者がウエットティッシュ片２００をつまんで引き出さなくてもローラ３４１の回転により自動的にウエットティッシュ片２００が排出されることとなる。
【００６３】
また、本実施の形態でも第１の実施の形態のウエットティッシュ・ウォーマー１００の図６のブロック図と同様に、変圧器を介してヒータ３４１ａの温度を高温又は低温に制御する構成となっているが、本実施の形態では取り出し用蓋３１１を閉じた際の温度を第１の実施の形態よりも低くすることにより、取り出し用蓋３１１を閉じた際には、ローラ３４１は、離間しないようになっている。
そして、図６と同様にサーモスタットによってヒータ３４１ａの温度が上がりすぎないように構成されている。
【００６４】
ところで、図９に示すように大蓋３１０は、開閉可能な取り出し用蓋３１１を備えている。
この取り出し用蓋３１１には、取り出し用蓋３１１を閉状態に維持する係合端３１１ａがスプリング３１１ｂ等で支持されている。
一方、蓋部材１２０には、この係合端３１１ａに対応する突起部３２１を備える開閉センサ３２０が配置されている。
したがって、取り出し用蓋３１１を閉状態にするときは、この取り出し用蓋３１１の係合端３１１ａを開閉センサ３２０の突起部３２１に係合させることになる。
このとき、開閉センサ３２０は、閉状態を感知し、図１１の制御部に知らせ、ローラ３４１のヒータ３４１ａの温度を下降させるよう制御することになる。
【００６５】
一方、取り出し用蓋３１１を開状態にするときは、取り出し用蓋３１１の係合端３１１ａと開閉センサ３２０の突起部３２１との係合を解除する。すると、この解除状態を開閉センサ３２０が感知して、制御部に信号を送り、ローラ３４１のヒータ３４１ａの温度を上昇させるよう制御されることになる。その他、本実施の形態の動作等は、第１の実施の形態と同様である。
ところで、図９に示すように取り出し用蓋３１１には、使用者が把持し易くするため手がかり部３１１ｃが設けられている。
【００６６】
本発明は、上述の各実施の形態に限定されない。さらに、上述の各実施の形態は、相互に組み合わせて構成するようにしてもよい。
【００６７】
【発明の効果】
以上述べたように、本発明によれば、ウエットティッシュを乾燥させず、菌等も増殖させ難く、衛生上も好ましいウエットティッシュ容器を提供することができる。
【図面の簡単な説明】
【図１】本発明の第１の実施の形態に係るウエットティッシュ・ウォーマーを示す概略斜視図である。
【図２】容器本体内のウエットティッシュ片の積層状態を示す概略説明図である。
【図３】図１の概略縦断面図である。
【図４】図１の他の概略縦断面図である。
【図５】図３の蓋開口部の形状等を示す概略平面図である。
【図６】モータ等によって加熱片を移動させる構成等を示したウエットティッシュ・ウォーマーのブロック図である。
【図７】本実施の形態にかかるウエットティッシュ・ウォーマーの動作等を示すフローチャートである。
【図８】第２の実施の形態に係るウエットティッシュ・ウォーマーを示す概略斜視図である。
【図９】図８のウエットティッシュ・ウォーマーの概略縦断面図である。
【図１０】図８のウエットティッシュ・ウォーマーの他の概略縦断面図である。
【図１１】第２の実施の形態に係るウエットティッシュ・ウォーマーのブロック図である。
【符号の説明】
１００、３００・・・ウエットティッシュ・ウォーマー、１０１・・・プラグ、１１０・・・大蓋、１１１、３１１・・・取り出し用蓋、１１３、１２３ａ、３１１ａ・・・係合端、１１２・・・トーションスプリング、１２０・・・蓋部材、１２１・・・蓋開口部、１２２・・・保持片、１２３・・・押圧手段、１２４・・・蓋スイッチ、１２５・・・蓋開閉ボタン、１２６・・・離間ボタン、１２７・・・加熱片ガイド、１４０・・・加熱部、１４１・・・加熱片、１４２・・・ヒータ、１４３・・・カバー、１５０・・・容器本体、１５１・・・詰め替え容器、２００・・・ウエットティッシュ片、３１１ｂ・・・スプリング、３１１ｃ・・・手がかり部、３２０・・・開閉センサ、３２１・・・突起部、３４０・・・加熱部、３４１・・・ローラ、３４４１ａ・・・ヒータ、３４１ｂ・・・回転部、３４２・・・移動ガイド、３４３・・・カバー、３５０・・・回転制御ボタン
【図１】
0003838627.tif 000002
【図２】
0003838627.tif 000003
【図３】
0003838627.tif 000004
【図４】
0003838627.tif 000005
【図５】
0003838627.tif 000006
【図６】
0003838627.tif 000007
【図７】
0003838627.tif 000008
【図８】
0003838627.tif 000009
【図９】
0003838627.tif 000010
【図１０】
0003838627.tif 000011
【図１１】
0003838627.tif 000012